(57)【要約】【課題】防水及び耐振を簡易に実現する電気接続箱のカバー構造及び該カバー構造を含む電気接続箱を提供する。【解決手段】電気接続箱の電装部品が実装される回路基板に取り付けられ、前記電装部品に電気接続されるケーブル用のレセプタクルに用いられる基体と、前記回路基板を収容する収容体とを含むカバー構造において、前記基体は、前記ケーブルのプラグが嵌入される開口を有する有底筒体部分と、該有底筒体部分の側板の一部に、底板に亘るようにして設けられた水抜き孔と、前記底板の外面における前記水抜き孔の周囲を囲うように立ち上がる壁とを含む形状に絶縁性材料により一体成形され、前記収容体の内側には、前記水抜き孔の底板側を覆う係止棒が立設されており、前記底板の外面の壁の内側には、前記係止棒が当接する。【選択図】図４
2019075953.tif 000002
【特許請求の範囲】
【請求項１】
電気接続箱の電装部品が実装される回路基板に取り付けられ、前記電装部品に電気接続されるケーブル用のレセプタクルに用いられる基体と、前記回路基板を収容する収容体とを含むカバー構造において、
前記基体は、
前記ケーブルのプラグが嵌入される開口を有する有底筒体部分と、
該有底筒体部分の側板の一部に、底板に亘るようにして設けられた水抜き孔と、
前記底板の外面における前記水抜き孔の周囲を囲うように立ち上がる壁と
を含む形状に絶縁性材料により一体成形され、
前記収容体の内側には、前記水抜き孔の底板側を覆う係止棒が立設されており、
前記底板の外面の壁の内側には、前記係止棒が当接する
カバー構造。
【請求項２】
電装部品が実装されており、該電装部品に電気接続されるケーブル用のレセプタクルが取り付けられている回路基板と、該回路基板を収容する収容体とを備える電気接続箱において、
前記レセプタクルの基体は、
前記ケーブルのプラグが嵌入される開口を有する有底筒体部分と、
該有底筒体部分の側板の一部に、底板に亘るようにして設けられた水抜き孔と、
前記底板の外面における前記水抜き孔の周囲を囲うように立ち上がる壁と
を含む形状に絶縁性材料により一体成形され、
前記壁を回路基板とは反対側に向けて前記回路基板に取り付けられており、
前記収容体の内側には、前記壁の内側に当接し、且つ前記水抜き孔の底板側を覆う係止棒が立設されている
電気接続箱。
【請求項３】
前記レセプタクルの基体は、
前記回路基板の周縁部に、前記底板が前記回路基板に対し略垂直となるように前記開口を外向きにして取り付けられており、
前記壁は、前記底板の外面における前記水抜き孔の底板側の開口の周囲を、前記回路基板から遠位側の一部を除いて囲う
請求項２に記載の電気接続箱。
【請求項４】
前記有底筒体部分は、複数の扁平な矩形筒体が所定の隙間を隔てて並設されて構成されており、
前記レセプタクルは、前記矩形筒体の並設方向を前記回路基板の側辺に沿わせるように取り付けられており、
前記水抜き孔は、隣り合う前記矩形筒体の内の一方の側板の、前記隙間に対向する部分に、前記底板に亘るようにして設けられている
請求項２又は３に記載の電気接続箱。
【請求項５】
前記係止棒は、
前記底板に沿って前記水抜き孔の底板側の孔を覆う覆い板と、
該覆い板の前記水抜き孔側と反対面に略直角に設けられ、前記壁の内側に当接するリブ板とを有する
請求項２から４のいずれか一項に記載の電気接続箱。
【請求項６】
前記収容体は、前記回路基板に対向するようにして前記電装部品を覆うカバー板を有し、
前記係止棒は、前記カバー板の両側辺部の略中央に、内向きにコの字の断面をなすように立設されている
請求項２から５のいずれか一項に記載の電気接続箱。
【請求項７】
電装部品が実装されており、該電装部品に電気接続されるケーブル用のレセプタクルが取り付けられている矩形状の回路基板と、該回路基板を収容箱及びカバー板の間に収容する収容体とを備える電気接続箱において、
前記レセプタクルの基体は、
矩形状の底板に、所定の隙間を隔てて長手方向に並設された複数の扁平な矩形筒体と、
隣り合う前記矩形筒体の内の一方の側板の、前記隙間に対向する部分に、前記底板に亘るようにして設けられた水抜き孔と、
前記底板の外面に形成され、前記水抜き孔の底板側の孔の周囲をコの字状に囲う窪みを前記底板の一長辺側に有する厚底部と
を含んで絶縁性材料により一体成形され、
前記レセプタクルは、前記底板を前記回路基板に略垂直とし、前記矩形筒体の並設方向を前記回路基板に沿わせるようにして前記矩形筒体の開口を外側に向け、前記窪みが前記回路基板から遠位側となるように前記回路基板の側辺部に取り付けられており、
前記収容体の前記収容箱又はカバー板の内側には、前記窪みのコの字状の面に当接し、前記水抜き孔の底板側を覆う係止棒が立設されている
電気接続箱。
【発明の詳細な説明】
【技術分野】
【０００１】
本開示は、車輌に搭載される電気接続箱に関する。
【背景技術】
【０００２】
車輌に搭載される電気接続箱は、バッテリ及び電子機器夫々へ接続されるケーブルとの接続部と、該接続部に接続されるリレー、ヒューズ等の電装部品と、これらを収容する収容体とを備える。雨天走行時又は洗車時等を考慮した電気接続箱の防水構造が種々提案されている。
【０００３】
特許文献１には、電装部品が取り付けられる箱状のベースと、電装部品を覆うカバーとを組み付けるように構成する電気接続箱の防水構造が開示されている。特許文献１では特に、ベース部分の側板とカバーの周縁に立設された周板とをいずれも二重構造とし、内側の周板を外側の周板よりも延ばした構造としてベースとカバーとの結合部分からの水の進入を防ぐことが開示されている。
【先行技術文献】
【特許文献】
【０００４】
【特許文献１】特開２０１４−２３６６５４号公報
【発明の概要】
【発明が解決しようとする課題】
【０００５】
特許文献１に開示されているように、収容体の結合部分における防水は勿論、接続されるケーブルの表面を伝う水を考慮した防水も求められている。また電気接続箱を自動車に搭載する場合、走行中の振動に耐え得るように耐振対策も必要である。つまり接続部からの水の進入をより安全に防ぎつつ、更に、耐振性能を向上させることも望まれる。
【０００６】
本開示の目的は、防水及び耐振を簡易に実現する電気接続箱のカバー構造及び該カバー構造を含む電気接続箱を提供することである。
【課題を解決するための手段】
【０００７】
本開示の一態様に係るカバー構造は、電気接続箱の電装部品が実装される回路基板に取り付けられ、前記電装部品に電気接続されるケーブル用のレセプタクルに用いられる基体と、前記回路基板を収容する収容体とを含むカバー構造において、前記基体は、前記ケーブルのプラグが嵌入される開口を有する有底筒体部分と、該有底筒体部分の側板の一部に、底板に亘るようにして設けられた水抜き孔と、前記底板の外面における前記水抜き孔の周囲を囲うように立ち上がる壁とを含む形状に絶縁性材料により一体成形され、前記収容体の内側には、前記水抜き孔の底板側を覆う係止棒が立設されており、前記底板の外面の壁の内側には、前記係止棒が当接する。
【０００８】
本開示の一態様に係る電気接続箱は、電装部品が実装されており、該電装部品に電気接続されるケーブル用のレセプタクルが取り付けられている回路基板と、該回路基板を収容する収容体とを備える電気接続箱において、前記レセプタクルの基体は、前記ケーブルのプラグが嵌入される開口を有する有底筒体部分と、該有底筒体部分の側板の一部に、底板に亘るようにして設けられた水抜き孔と、前記底板の外面における前記水抜き孔の周囲を囲うように立ち上がる壁とを含む形状に絶縁性材料により一体成形され、前記壁を回路基板とは反対側に向けて前記回路基板に取り付けられており、前記収容体の内側には、前記壁の内側に当接し、且つ前記水抜き孔の底板側を覆う係止棒が立設されている。
【０００９】
なお本願は、このような特徴的なカバー構造及び該カバー構造を含む電気接続箱として実現することができるだけでなく、カバー構造の構成部の一部を部品として実現したり、本開示の電気接続箱に採用されたカバー構造を、他の装置のカバーとして実現したりすることができる。
【発明の効果】
【００１０】
上記によれば、電気接続箱の防水及び耐振が簡易に実現される。
【図面の簡単な説明】
【００１１】
【図１】本開示の一実施形態の電気接続箱の模式分解斜視図である。
【図２】回路基板の斜視図である。
【図３】回路基板の平面図である。
【図４】アッパケースを示す模式斜視図である。
【図５】係止棒が窪みに係合した状態を示す模式斜視図である。
【図６】図５中のＶＩ−ＶＩ線による断面図である。
【発明を実施するための形態】
【００１２】
［本開示の実施形態の説明］
最初に本開示の実施態様を列記して説明する。また、以下に記載する実施形態の少なくとも一部を任意に組み合わせてもよい。
【００１３】
（１）本開示の一態様に係るカバー構造は、電気接続箱の電装部品が実装される回路基板に取り付けられ、前記電装部品に電気接続されるケーブル用のレセプタクルに用いられる基体と、前記回路基板を収容する収容体とを含むカバー構造において、前記基体は、前記ケーブルのプラグが嵌入される開口を有する有底筒体部分と、該有底筒体部分の側板の一部に、底板に亘るようにして設けられた水抜き孔と、前記底板の外面における前記水抜き孔の周囲を囲うように立ち上がる壁とを含む形状に絶縁性材料により一体成形され、前記収容体の内側には、前記水抜き孔の底板側を覆う係止棒が立設されており、前記底板の外面の壁の内側には、前記係止棒が当接する。
【００１４】
本開示の一態様にあっては、回路基板の周縁部に開口を外向きに取り付けられるレセプタクルの基体は、防水のために樹脂で一体に成形される。一体成形のため開口に対応する有底筒体部分に水抜き孔を設ける際に、その孔が底板に亘るが、レセプタクルの底板の外面に、その水抜き孔の底板側の開口を囲うようにして立ち上がる壁が設けられており、またその壁に当接しつつ且つ底板に沿って水抜き孔の底板側の開口を塞ぐ係止棒が収容体側に立設されてある。これにより、壁に当接する係止棒によって水抜き孔からの水の進入を防ぐと共に、レセプタクルを介して回路基板と収容体との間のガタツキが抑制されるから、防水及び耐振の性能が向上する。
【００１５】
（２）本開示の一態様に係る電気接続箱は、電装部品が実装されており、該電装部品に電気接続されるケーブル用のレセプタクルが取り付けられている回路基板と、該回路基板を収容する収容体とを備える電気接続箱において、前記レセプタクルの基体は、前記ケーブルのプラグが嵌入される開口を有する有底筒体部分と、該有底筒体部分の側板の一部に、底板に亘るようにして設けられた水抜き孔と、前記底板の外面における前記水抜き孔の周囲を囲うように立ち上がる壁とを含む形状に絶縁性材料により一体成形され、前記壁を回路基板とは反対側に向けて前記回路基板に取り付けられており、前記収容体の内側には、前記壁の内側に当接し、且つ前記水抜き孔の底板側を覆う係止棒が立設されている。
【００１６】
本開示の一態様にあっては、（１）に記載したように、係止棒によって水抜き孔からの水の進入を防ぐと共に、レセプタクルを介して回路基板と収容体との間のガタツキが抑制されるから、防水及び耐振の性能が向上する。
【００１７】
（３）本開示の一態様に係る電気接続箱は、前記レセプタクルの基体は、前記回路基板の周縁部に、前記底板が前記回路基板に対し略垂直となるように前記開口を外向きにして取り付けられており、前記壁は、前記底板の外面における前記水抜き孔の底板側の開口の周囲を、前記回路基板から遠位側の一部を除いて囲う。
【００１８】
本開示の一態様にあっては、底板の外面の回路基板から遠位側に設けられた窪みが、水抜き孔の底板側の開口を囲う壁となり、且つ、収容体に立設された係止棒が当接する壁となる。係止棒が開口を塞ぎつつ、回路基板と収容体との間のガタつきを抑制する。
【００１９】
（４）本開示の一態様に係る電気接続箱は、前記有底筒体部分は、複数の扁平な矩形筒体が所定の隙間を隔てて並設されて構成されており、前記レセプタクルは、前記矩形筒体の並設方向を前記回路基板の側辺に沿わせるように取り付けられており、前記水抜き孔は、隣り合う前記矩形筒体の内の一方の側板の、前記隙間に対向する部分に、前記底板に亘るようにして設けられている。
【００２０】
本開示の一態様にあっては、ケーブル用の開口に対応する筒体が複数設けられ、その複数の開口に対応する複数の矩形筒体間に隙間が設けられている。そして隣り合う筒体の内の、一方の筒体の側板の前記隙間に対向する一部に、その一方の筒体用の水抜き孔が底板に亘って形成される。つまり一方の矩形筒体の内側と隣り合う矩形筒体間に設けられた隙間部分とが連通する。一方の矩形筒体の開口から進入した水は、側板に形成された孔から排水されて隙間に逃され、他方の矩形筒体へ進入することが防止される。
【００２１】
（５）本開示の一態様に係る電気接続箱は、前記係止棒は、前記底板に沿って前記水抜き孔の底板側の孔を覆う覆い板と、該覆い板の前記水抜き孔側と反対面に略直角に設けられ、前記壁の内側に当接するリブ板とを有する。
【００２２】
本開示の一態様にあっては、係止棒の水抜き孔を覆う覆い板にはリブを設けてあるために、覆い板に力が掛かった場合に倒れ込むことが防止される。
【００２３】
（６）本開示の一態様に係る電気接続箱は、前記収容体は、前記回路基板に対向するようにして前記電装部品を覆うカバー板を有し、前記係止棒は、前記カバー板の両側辺部の略中央に、内向きにコの字の断面をなすように立設されている。
【００２４】
本開示の一態様にあっては、係止棒がカバー板の両側辺部に内向きにコの字の断面をなすように形成されている。コの字の縦棒が覆い板に対応し、横棒がリブに対応する。断面がコの字状に形成されることで係止棒が倒れ込むことが防止される。
【００２５】
（７）本開示の一態様に係る電気接続箱は、電装部品が実装されており、該電装部品に電気接続されるケーブル用のレセプタクルが取り付けられている矩形状の回路基板と、該回路基板を収容箱及びカバー板の間に収容する収容体とを備える電気接続箱において、前記レセプタクルの基体は、矩形状の底板に、所定の隙間を隔てて長手方向に並設された複数の扁平な矩形筒体と、隣り合う前記矩形筒体の内の一方の側板の、前記隙間に対向する部分に、前記底板に亘るようにして設けられた水抜き孔と、前記底板の外面に形成され、前記水抜き孔の底板側の孔の周囲をコの字状に囲う窪みを前記底板の一長辺側に有する厚底部とを含んで絶縁性材料により一体成形され、前記レセプタクルは、前記底板を前記回路基板に略垂直とし、前記矩形筒体の並設方向を前記回路基板に沿わせるようにして前記矩形筒体の開口を外側に向け、前記窪みが前記回路基板から遠位側となるように前記回路基板の側辺部に取り付けられており、前記収容体の前記収容箱又はカバー板の内側には、前記窪みのコの字状の面に当接し、前記水抜き孔の底板側を覆う係止棒が立設されている。
【００２６】
本開示の一態様にあっては、回路基板の周縁部に開口を外向きに取り付けられるレセプタクルの基体は、ケーブル用の開口に対応する筒体を矩形の底板上に複数、隙間を設けて並設して構成されており、隣り合う矩形筒体の内の一方の、その隙間に対向する側板の一部に水抜き孔が設けられる。複数のケーブル用の開口を設ける場合に、一方のケーブルを伝って開口から進入した水は、側板に形成された孔から排水されて複数の筒体間の隙間の部分に逃され、他方の筒体へ侵入することが防止される。またレセプタクルは一体成形されるから、その水抜き孔を設けるためにその孔が底板に亘ることが回避できないが、レセプタクルの底板にその水抜き孔の底板側の開口を囲うようにして立ち上がる壁が設けられており、またその壁に当接しつつ且つ底板に沿って水抜き孔の底板側の開口を塞ぐ係止棒が収容体側に立設されてある。これにより、壁に当接する係止棒によって水抜き孔からの水の進入を防ぐと共に、レセプタクルを介して回路基板と収容体との間のガタツキが抑制されるから、防水及び耐振の性能が向上する。
【００２７】
［本開示の実施形態の詳細］
本開示の実施形態に係る電気接続箱の収容構造の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００２８】
図１は、本開示の一実施形態の電気接続箱１の模式分解斜視図である。電気接続箱１は、リレー及び電装部品が実装された回路基板１１を、収容体１２内に収容して構成されている。収容体１２は、ロアケース１２１及びアッパケース１２２を備える。ロアケース１２１及びアッパケース１２２はいずれも樹脂製の一体成型品である。ロアケース１２１は矩形箱状であって、長辺側の側板は所定長に亘って欠落させてある。図１には片側の欠落部が示されているが、反対側も同位置が同長に亘って欠落させてある。アッパケース１２２はロアケース１２１の底板と対応する大きさのカバー板と、該カバー板の両短辺に沿って厚さ方向両側に張り出す端壁とを備える。回路基板１１はロアケース１２１及びアッパケース１２２に挟持されて収容される。
【００２９】
図２は、回路基板１１の斜視図であり、図３は回路基板１１の平面図である。回路基板１１には、略矩形状の基板３の長手方向を略２対１の割合で分割した内の狭範囲側に、リレー等の電源関係の電装部品の実装領域３２が設定されている。広範囲側には中央部分に、電源制御系の電装部品の実装領域３１が設定され、該実装領域３１の両側には、基板３の側辺部に沿ってケーブル接続用のレセプタクル４（接続部）が夫々取り付けられている。
【００３０】
レセプタクル４は樹脂製の一体成形品である基体４０に、後述する接続ピン３４を設けて構成される。レセプタクル４の基体４０は、矩形状の底板４５上に、長手方向に並設された第１筒体部４１及び第２筒体部４２を含む。第１筒体部４１及び第２筒体部４２は、扁平な矩形筒体であり、第１筒体部４１の方が長手方向の長さが長い。第１筒体部４１及び第２筒体部４２は、長手方向に隙間を隔てて並設されている。また基体４０は、第１筒体部４１及び第２筒体部４２の並設方向に沿って、隙間を隔てて設けられた取付板４３を含む。
【００３１】
基体４０の第１筒体部４１には水抜き孔４７が設けられている。水抜き孔４７は、第１筒体部４１の側板の内、第２筒体部４２との隙間に対向する側板の底板４５寄りの位置に、底板４５に亘るようにして設けられている矩形状の孔である。水抜き孔４７は、レセプタクル４を一体成形する際に、底板４５側に金型に設けられた凸部によって形成される。底板４５に連続する開口４８は、型抜きを可能とするために設けてある。第２筒体部４２にも、その側板の内、第１筒体部４１と対向する部分とは反対側の側板の底板４５寄りの位置に、水抜き孔４９が底板４５に亘るようにして矩形状に設けられている。同様にして底板４５に連続する開口５０は、型抜きを可能とするために設けてある。
【００３２】
またレセプタクル４の基体４０の底板４５には、外面の略全体に亘って厚底部４６が形成してあり、該厚底部４６の取付板４３から遠位側の長辺に窪み６１を設けてある。窪み６１の内側は、前記開口４８の三方を囲うようにして立ち上がる壁となる。
【００３３】
このようなレセプタクル４の基体４０は、取付板４３を基板３の面上に当接させ、第１筒体部４１及び第２筒体部４２の開口側を基板３の外側に向けて固定される。なお回路基板１１にはレセプタクル４は２つ設けられているが、その形状は互いに鏡映対称の関係にあり、基板３上に同様に取り付けられている。
【００３４】
レセプタクル４は、基体４０の底板４５の厚底部４６を貫通するように設けた複数の接続ピン３４を更に備える。接続ピン３４の一端は、基板３に向けて屈曲されており、基板３上の回路パターンに電気接続されている。接続ピン３４の他端は、底板４５の底面から第１筒体部４１及び第２筒体部４２の内部に突出している（図示省略）。これにより回路基板１１の２つのレセプタクル４においてケーブルプラグが第１筒体部４１の開口と、第２筒体部４２の開口とに嵌入されると、ケーブル内の導線群と、回路基板１１上の電装部品との間が接続ピン３４を介して電気接続される。
【００３５】
図４は、アッパケース１２２を示す模式斜視図である。図４では、図１に示されている面と反対側の面が示されている。図４に示すようにアッパケース１２２のカバー板の片面には、２本の係止棒２０が立設されている。係止棒２０は、短冊板状の覆い板と、該覆い板の両長辺から垂直に立ち上がるリブ板とを備え、断面コの字の形状をなす。２本の係止棒２０は、コの字の開口側を対向させるようにしてカバー板の両側辺部の略中央に立設されている。覆い板は側辺に沿って外向きに、カバー板に略垂直をなす。なお図４に示すリブ板は、根元から先端に向けて幅狭となる台形状としているが矩形であってもよい。またリブ板は１つであっても３つ以上であってもよい。
【００３６】
このような各部品から電気接続箱１は以下のように構成される。まずロアケース１２１の底板上に、その側板の欠落部にレセプタクル４を対応させ、実装領域３１，３２を上向きにして回路基板１１を載置する。その上にアッパケース１２２を、係止棒２０が立設されている側の面を回路基板１１側に対向させるようにして設置する。係止棒２０の位置及び寸法は、回路基板１１に取り付けられているレセプタクル４の窪み６１に対応するようにしてあり、係止棒２０が窪み６１に係合する。そしてロアケース１２１の側板とアッパケース１２２とを嵌合させ、ロアケース１２１及びアッパケース１２２を複数本の止めねじによりねじ止めし、回路基板１１を挟んで相互に固定する。なおロアケース１２１及びアッパケース１２２の接合部分は適切に防水がなされるように設計されており、また仮に水が進入した場合の排水機構も設けられている。
【００３７】
この状態での電気接続箱１における係止棒２０とレセプタクル４の底板４５の厚底部４６における係合状態について詳細に説明する。図５は、係止棒２０が窪み６１に係合した状態を示す模式斜視図であり、図６は図５中のＶＩ−ＶＩ線による断面図である。図５及び図６に示すように、係止棒２０が窪み６１に係合した状態では覆い板の外面が、底板４５の水抜き孔４７の開口４８全体を覆っている。また係止棒２０のリブ板部の外面が窪み６１の対向面に夫々当接し、係止棒２０の先端が窪み６１の奥の面に当接する。
【００３８】
電気接続箱１は、回路基板１１の実装領域３１を上側とし、実装領域３２を下側として、即ちレセプタクル４における第１筒体部４１を上側とし、第２筒体部４２を下側として車輌のエンジンルーム等に設置される。電気接続箱１は雨天走行時又は洗車時等、水に晒される可能性がある。電気接続箱１において収容体１２におけるロアケース１２１及びアッパケース１２２の接合部分は適切に防水及び排水がなされるように設計されているが、ケーブルを伝う水はレセプタクル４内に進入しようとする。しかしながら第１筒体部４１の開口へ進入してきた水は、図２及び図６中の白抜きの矢符で示すように、下部に位置する水抜き孔４７から、第１筒体部４１及び第２筒体部４２の間の隙間へ逃される。このように水抜き孔４７は排水口として機能する。しかも水抜き孔４７の底板４５側の開口４８は、図５及び図６で示したように、係止棒２０の覆い板により全体が覆われているから、回路基板１１の実装領域３１側へ水が進入することが回避される。第２筒体部４２の開口へ進入してきた水は、図２及び図６中の白抜きの矢符で示すように、下部に位置する水抜き孔４９から排水され、少なくとも、回路基板１１の制御系の電装部品が実装される実装領域３１への水の進入を防ぐ。水抜き孔４９から排出された水は、収容体１２の排水構造によって外部へ逃されるようにしてある。また電源系の電装部品が実装される実装領域３２は、更に下部から適切に排水されれば十分に耐えうるように設計されているとよい。このように本開示の電気接続箱１では、レセプタクル４の開口から進入してくる水分を考慮して防水性能が向上している。
【００３９】
係止棒２０は上述したように、リブ板部の外面が窪み６１の対向面に夫々当接し、係止棒２０の先端が窪み６１の奥の面に当接するから、回路基板１１はその長手方向及び厚み方向のいずれにおいても、アッパケース１２２に対するガタつきが抑制される。収容体１２が十分に防振対策を施して車輌内に取り付けられれば、内部に収容される回路基板１１は、車輌の走行による振動に晒されたとしても、その振動によってガタつかないので、実装されている電子部品は、振動に耐え得る。
【００４０】
このようにして、樹脂の一体成形により形成されるレセプタクル４に水抜き孔４７を設けるために形成される底板４５側の開口４８を、レセプタクル４に設けられた窪み６１に嵌入される係止棒２０の係止面で塞ぐという簡易な構成で、電気接続箱１の防水及び耐振動の性能をいずれも向上させることができる。
【００４１】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００４２】
１  電気接続箱
１１  回路基板
１２  収容体
１２１  ロアケース
１２２  アッパケース
３  基板
３１，３２  実装領域
３４  接続ピン
４  レセプタクル
４０  基体
４１  第１筒体部
４２  第２筒体部
４３  取付板
４５  底板
４６  厚底部
４７，４９  水抜き孔
４８  開口
６１  窪み（壁）
【図１】
2019075953.tif 000003
【図２】
2019075953.tif 000004
【図３】
2019075953.tif 000005
【図４】
2019075953.tif 000006
【図５】
2019075953.tif 000007
【図６】
2019075953.tif 000008